(57)【要約】      （修正有）【課題】綴り針の装填量を増加させたステープラーを提供する。【解決手段】基枠２の後端側に立設した支持部片に後端部を回動自在に組付けた操作枠５に針圧下鈑１１を設け、該針圧下鈑１１を前記操作枠５の回動に伴って降下させて該操作枠５と前記基枠２との間の針台１０中の綴り針を１本宛打出して前記基枠２に設けた針受盤１とで挟持した紙シートを綴り込むようにしてある。そして、前記操作枠５と基枠２との間に前記支持部片に回動自在に枢着して支持枠４を設け、該支持枠４に横動枠１４を横動可能に吊設しする。また、横動枠１４に選択的に前記針圧下鈑の直下に位置する一対の前記針台１０，１０を設ける【選択図】図２
2005034966.tif 000002
【特許請求の範囲】
【請求項１】
基枠の後端側に立設した支持部片に後端部を回動自在に組付けた操作枠に針圧下鈑を設け、該針圧下鈑を前記操作枠の回動に伴って降下させて該操作枠と前記基枠との間の針台中の綴り針を１本宛打出して前記基枠に設けた針受盤とで挟持した紙シートを綴り込むようにしたステープラーにおいて、前記操作枠と基枠との間に前記支持部片に回動自在に枢着して支持枠を設け、該支持枠に横動枠を横動可能に吊設し、該横動枠に選択的に前記針圧下鈑の直下に位置する一対の前記針台を搭載した、ステープラー。
【発明の詳細な説明】
【技術分野】
【０００１】
本発明は主として紙シートを綴るために用いるステープラーに関するものである。
【背景技術】
【０００２】
概し、操作枠、針台および基枠の３部材を後部側で互いに回動自在に組合わせ、操作枠の先端側に設けた針圧下鈑で針台に装填した綴り針を１本宛打出して基枠の先端側に備えた針受盤に押圧するようにしたステープラーは具体例を挙げるまでもなく公知であり、針台に装填する綴り針は多数本を縦列させ、互いに接着手段で接着した一群を一組とした構成態様で成るため、前記針台の装填量は自ら限りがあるのが現状である（特許文献１）。
【０００３】
【特許文献１】実公平７−３７８１７号公報
【発明の開示】
【発明が解決しようとする課題】
【０００４】
針台に対する綴り針の装填量を増加させるには、針台の長さをその分長くすれば良いのではあるが、針台を長くするということは、該針台と組合わせた操作枠および基枠も長くするということで、その分材料コストが嵩んだり、使用勝手上にも不都合が生じる。
【０００５】
本発明は、ステープラーとしての全体的な長さは従前と変らないで、しかも、綴り針の装填量を増加させたステープラーを提供すべく創案したものである。
【課題を解決するための手段】
【０００６】
基枠の後端側に立設した支持部片に後端部を回動自在に組付けた操作枠に針圧下鈑を設け、該針圧下鈑を前記操作枠の回動に伴って降下させて該操作枠と前記基枠との間の針台中の綴り針を１本宛打出して前記基枠に設けた針受盤とで挟持した紙シートを綴り込むようにしたステープラーにおいて、前記操作枠と基枠との間に前記支持部片に回動自在に枢着して支持枠を設け、該支持枠に横動枠を横動可能に吊設し、該横動枠に選択的に前記針圧下鈑の直下に位置する一対の前記針台を搭載した構成とするものである。
【発明の効果】
【０００７】
本発明によれば、いわば２台の針台を備えたものであるから、綴り針の装填量を増加させることができ、従って、綴り針の装填作業の煩雑さをそれだけ省略できるとともに、異なる足長の綴り針を装填でき、綴じ紙厚に応じた適切な足長の綴り針を即座に選択し用いることができる。
【０００８】
また、一方の針台中の綴り針がなくなったとき、他の一方の針台を針圧下鈑直下に移動させれば足りるから使用勝手上の煩雑さもない。
【実施例】
【０００９】
図面は本発明に係るステープラーの一実施例を示し、図１は正面図、図２は縦断面図、図３は本発明要部の一部欠截平面図、図４は針台部の縦断面図、図５は図４のａ−ａ線断面図、図６は綴り込み操作時の側面図である。
【００１０】
実施例で示すステープラーは、針受盤１を備えた基枠２の後端側に支持部片２ａ，２ａ´を相対して立設し、後方側の小さな支持部片２ａ´第一支軸３によって下部側に針台１０を備えた支持枠４を後端部において回動自在に枢着し、支持枠４の中間部上方位置には第二支軸３´によって操作枠５をその後端部において回動自在に枢着し、また、大きな前記支持部片２ａの上端部には前記第一、第二の支軸３，３´より上方に配した第三支軸３´´によってハンドル枠６を回動自在に枢着し、該ハンドル枠６の中間部と前記操作枠５の先端部間には仲介片７を架設して回動自在に枢軸３ａ，３ｂで枢着すると共に、前記支持枠４と前記基枠２との間に支持枠４を水平状態に維持させる第一復帰スプリング８を介在させ、また、操作枠５と支持枠４との間には、第一復帰スプリング８よりもばね性の強い第二復帰スプリング９を介在させて構成したものである。すなわち、実施例のステープラーは、第三支軸３´´を中心にしてハンドル枠６の先端側を基枠２方向に押下すると、ハンドル枠６は仲介片７を介して操作枠５を第二主軸３´を中心にして回動降下させようとして第二復帰スプリング９を押圧し、この第二復帰スプリング９より第一復帰スプリング８の方がばね性が弱いため、第二復帰スプリング９の押圧によって針台１０を組付けた支持枠４は第一主軸３を支点に回動し、針台１０の排出口側の先端は降下して針受盤１と重なり合って被綴り込み体である紙シートを挟持することになり、ハンドル枠６の押下操作の継続によって前記第二スプリング９は縮小して仲介片７に押圧された操作枠５は第二主軸３´を支点にして回動し、その回動に伴って操作枠５が支持枠４に設けた針圧下鈑１１は降下し、針台１０中の綴り針を打ち出し、針台１０先端と針受盤１とで挟持した紙シートを綴り込むものである。
【００１１】
そして、実施形態のステープラーは、前記支持枠４に支持させた一対の針台１０，１０を、その先端部を支持枠４に縦動自在に装備した前記針圧下鈑１１直下に選択的に配して用いるのである。
【００１２】
図中１２は、支持枠４に設けた支持板で、支持板１２は上面に相対して立設した組付け部片１２ａ，１２ａを前記支持枠４にねじ止め１３して支持枠４下端面に配したもので、この支持板１２に横動枠１４を横動（ステープラーの前後方向に対して直交する方向に）自在に吊設してある。
【００１３】
横動枠１４は、左右の側壁１４ａ，１４ａ、底壁１４ｂ、後壁１４ｃ、上壁１４ｄおよび左右側壁１４ａ，１４ａ間に配した区画壁１４ｅとで成り、側壁１４ａ、底壁１４ｂおよび後壁１４ｃを構成する主体枠１４Ａと前記上壁１４ｄを構成する蓋枠１４Ｂを互いにビス１５で止着した前端開口の合成樹脂製の中空体で成り、上壁１４ｄ（蓋枠１４Ｂが構成する）には、窓口を設けて材料の低減を図っている。
【００１４】
そして、横動枠１４は、前記区画壁１４ｅで区画した、前端開口の一対の収納室１６，１６を備え、該収納室１６にそれぞれ前記針台１０を突出可能に摺嵌し、前後部分において吊設して前記支持板１２に組付けたものである。
【００１５】
図示１７は、横動枠１４の上壁１４ｄの先端部に、前記収納室１６，１６の先端側直上に位置するようにして設けた案内長孔で該案内長孔１７に前記上壁１４ｄの下側から基端（下端）に鍔部片１８ａを設けた断面Ｔ字形の吊持片１８の丸棒部１８ｂの先端を貫通させ、鍔部片１８ａを前記上壁１４ｄの直下に設けた案内空隙１９に係合する一方、前記案内長孔１７を通じて上壁１４ｄより上方に突出する該丸棒部１８ｂを掛止（止着）手段２０によって前記上壁１４ｂに掛止して横動枠１４の先端側を前記支持板１２に支持させてある。すなわち、横動枠１４の先端側は、該横動枠１４を横方向（ステープラー前後方向に直交する方向）に指先で押圧すると、前記吊持片１８の丸棒部１８ｂと案内長孔１７の係合関係により、支持板１２に組付けた吊持片１８を固定側として案内長孔１７部が該吊持片１８に相対的に案内されて横動して、一方の収納室１６に代って他の一方の収納室１６が前記針圧下鈑１１の直下に位置することになるのである。
【００１６】
また、横動枠１４の後端側は、該横動枠１４の後壁部１４ｃを後突出部片１４ｃ´とで成る切欠部２１に両部分１４ｃ，１４ｃ´間に介在するように横方向に並ぶ一対の掛止部片１４ｇ，１４ｇを立設し、該掛止部片１４ｇの上端部前端側に設けた掛止切欠３１に前記支持板１２の後端部片１２ｃを係合させるようにして掛止部片１４ｇを支持片後端部片１２ｃに掛止して組付け、前記のように指先で押圧したとき、支持板１２の後端部片１２ｃに掛止部片１４ｇが掛止した状態で横動枠１４後端部は前記先端部と同様に移動し、前記の通り、先端部と協働して、一方の収納室１６に代って他の一方の収納室１６が針圧下鈑１１直下に位置するのである。
【００１７】
横動枠１４の、２つの収納室１６，１６に区画する前記区画壁１４ｅの先端側には係合溝２２ａと該係合溝２２ａに連通する凹入穴２２ｂを設け、該係合溝２２ａに摺嵌させた操作部片２３ｂの先端を前記凹入穴２２ｂに突出させ、該先端と凹入穴２２ｂの奥壁との間にコイルスプリング２４を介在させて操作部片２３ｂの先端が前記横動枠１４より前方に突出する方向に付勢させてある。
【００１８】
操作部片２３ｂは、横動枠１４の区画壁１４ｅに載置して収納室１６，１６間中央に配置した規制部片２３ａとで規制片２３を構成し、この操作部片２３ｂを前記コイルスプリング２４の付勢に抗してステープラー後方に向けて押圧すると、該操作部片２３ｂに一体にして前記規制片２３を構成する規制部片２３ａは支持板１２に吊設した吊持片１８との隣接位置より後方に後退し、操作部片２３ｂの押圧を中断すると、コイルスプリング２４の付勢によって原位置に復帰し、吊持片１８に隣接して前記案内間隙１９内に係合するようにしてある。
【００１９】
収納室１６に摺嵌した針台１０は、スプリング２５によって押送される針押し２６によって装填した綴り針が排出口２７を通じて順次打出されるようになっており、前記後突出部片１４ｃ´の直下に配した板ばね３３による係止状態を離脱杆３４を押下させて開放することによりスプリング３５の付勢によって先端側が横動枠１４より前方に突出し、針の装填をできるようになっており、装填後、針台１０を後退させると、針台１０の後端部に設けた係止孔２８に前記板ばね３３が係止して針台１０の収納室１６に対する収納状態が保持される。
【００２０】
なお、２９ａ，２９ｂは横動枠１４の上壁１４ｄに設けた突部片で、該突部片２９ａ，２９ｂは支持板１２に設けた窓口３０に係合して横動枠１４の正しい方向への移（横）動を補助する。
【００２１】
しかして、一方の針台１０の綴り針がなくなったとき、操作部片２３ｂをコイルスプリング２４の付勢に抗して後方へ押圧すると、該部片２３ｂと一体にした規制部片２３ａは吊持片１８の鍔部片１８ａに隣接して案内空隙１９に係合した状態位置から後退し、この結果、吊持片１８（鍔部片１８ａ）は案内空隙１９内を、丸棒部１８ｂが案内長孔１７に沿って移動できる範囲で相対的に自由に移動できる状態となり、横動枠１４を、該横動枠１４に収納した、綴り針を装填した状態にある側の針台１０が針圧下鈑１１の直下に位置する方向に押圧することによって、吊持片１８と案内長孔１７乃至案内間隙１９の係合関係および支持板１２の後端部片１２ｃに対する掛止部片１４ｇの掛止関係によって横動枠１４は所定の位置に移動し、このとき、規制片２３（操作部片２３ｂ）の押圧状態を解放するとコイルスプリング２４の付勢によって規制片２３（規制部片２３ａ）は原位置に復帰し、横動枠１４の移動を規制し、綴り込み操作ができる状態になるのである。
【図面の簡単な説明】
【００２２】
【図１】正面図。
【図２】縦断面図。
【図３】本発明要部の一部欠截平面図。
【図４】針台部の縦断面図。
【図５】図４のａ−ａ線断面図。
【図６】綴り込み操作時の側面図。
【符号の説明】
【００２３】
１      針受盤
２      基枠
４      支持枠
５      操作枠
１０    針台
１４    横動枠
【図１】
2005034966.tif 000003
【図２】
2005034966.tif 000004
【図３】
2005034966.tif 000005
【図４】
2005034966.tif 000006
【図５】
2005034966.tif 000007
【図６】
2005034966.tif 000008